(57)【要約】【課題】外部からの侵入者によりサムターンが容易に回転できないような防犯機能に優れたサムターン用キャップを提供する。【解決手段】本発明に係るサムターン用キャップ１は、その主要な外形が実質的に球形状を有している。キャップ１の一面には開口部１１が形成され、開口部１１内にサムターン１３０が挿入され、そこでネジ３０により固定される。キャップ１の外形が球形であることから、小道具によってキャップ１を回転させることが非常に困難になり、サムターン廻し等の防犯効果にすぐれた利点を有する。また、キャップ１はサムターン１３０に対して着脱自在であり、既存のサムターン１３０に簡単に取り付けることができる。【選択図】  図３
2004156361.tif 000002
【特許請求の範囲】
【請求項１】
サムターンに着脱可能に取り付けられるキャップであって、
前記キャップの主要な外形は球形状である、サムターン用キャップ。
【請求項２】
サムターンに着脱可能に取り付けられるキャップであって、
前記キャップは、サムターンを挿入する開口部と、キャップの外形を規定する球形部とを有する、サムターン用キャップ。
【請求項３】
前記キャップは、前記開口部に挿入されたサムターンを固定する固定手段を有する、請求項２に記載のサムターン用キャップ。
【請求項４】
前記固定手段は、前記開口部に連通する溝を有し、該溝を介してサムターンを押圧する押圧部材を有する、請求項３に記載のサムターン用キャップ。
【請求項５】
前記固定手段は、前記開口部内に配される押圧プレートを含む、請求項３または４に記載のサムターン用キャップ。
【請求項６】
前記押圧プレートは、弾力性を有する、請求項５に記載のサムターン用キャップ。
【請求項７】
前記球形部は、円柱形状を含む、請求項２ないし４いずれかに記載のサムターン用キャップ。
【請求項８】
前記球形部は、円錐形状を含む、請求項２ないし４いずれかに記載のサムターン用キャップ。
【請求項９】
前記球形部は、多角形状を含む、請求項２ないし４いずれかに記載のサムターン用キャップ。
【請求項１０】
前記キャップは、平坦な面を含み、前記開口部は前記平坦な面に形成される。請求項２ないし９いずれかに記載のサムターン用キャップ。
【請求項１１】
前記平坦な面は、サムターンの底部に対向され、前記サムターンは実質的に前記キャップによりカバーされる、請求項２ないし１０いずれかに記載のサムターン用キャップ。
【請求項１２】
開閉部材の内側に設けられた施錠若しくは開錠用の開閉つまみをカバーするキャップであって、前記キャップは前記開閉つまみを包含する球形状の外形を有する、キャップ。
【請求項１３】
前記開閉つまみは、サムターンである、請求項１２に記載のキャップ。
【請求項１４】
前記開閉つまみは、鍵の施錠または開錠に応じてその角度を可変され、前記開閉つまみが前記キャップによりカバーされたとき、鍵の施錠または開錠の状態にかかわらず前記キャップの外形位置が本質的に変化されない、請求項１２または１３に記載のキャップ。
【請求項１５】
前記球形状の外形は、前記キャップの回転軸を中心に形成される、請求項１２ないし１４いずれかに記載のキャップ。
【請求項１６】
開閉部材の内側に設けられた施錠若しくは開錠用の開閉つまみをカバーするキャップであって、前記キャップは、前記開閉つまみに対向する平面と、該平面から球形状に延在する球形部とを有し、
前記平面には前記開閉つまみを保持するための開口部が形成され、
前記開閉つまみが鍵の施錠または開錠に応じてその角度が変化されたとき、前記球形部の外形の位置が実質的に同一である、キャップ。
【請求項１７】
前記キャップは、前記開口部内に挿入された開閉つまみを固定するための固定手段を含む、請求項１６に記載のキャップ。
【発明の詳細な説明】
【０００１】
【発明の属する技術分野】
本発明は、ドア、シャッター、扉等の開閉部材に取り付けられる施錠装置ののサムターン（内側の開閉つまみ）用のキャップに関する。
【０００２】
【従来の技術】
図１０に従来の施錠装置のサムターンの一構成例を示す。ドア１００には施錠装置１１０が取り付けられる。施錠装置１１０は、ドア１００の外側に開閉用のノブ（図中省力）と、ドアの内側に開閉用のノブ１２０およびサムターン１３０とを含み、ドア１００の内部に施錠本体１４０を埋め込んでいる。サムターン１３０とは、ドアの内側にある、開閉つまみであり、鍵の施錠または開錠に応じてそのプレート状の突起１３１が回転される。ドアが施錠されるとき、施錠本体１４０からロックキー（デッドボルト）１４１が突出され、サムターン１３０はこのロックキー１４１と連動して一般に水平位置にある。ドアが開錠されるとき、ロックキー１４１が内側に収納され、サムターン１３０はこれと連動して９０度回転し垂直位置となる。
【０００３】
【発明が解決しようとする課題】
家屋のドア等の開閉部材に取り付けられた施錠装置は、防犯上から施錠が安易に解錠されないことが重要である。ドアの外側から施錠あるいは開錠を行うときは、鍵穴に鍵を挿入しこれを回転することでロックキー１４１を移動させ、ドアの内側から行うときはサムターン１３０を回転させてロックキー１４１を移動させる。
【０００４】
しかしながら、近年空き巣等の犯罪に頻発し、鍵を用いることなく、施錠装置の解錠が行われている実情がある。例えば、鍵穴から針金等を挿入することでロックキー１４１を解錠するピッキングや、鍵穴部分をドアから引き離し、その間隙から小道具を挿入して直接ロックキー１４１を解錠するバイパス解錠（カム送り解錠）、さらには、ドアの隙間やあるいはドアにドリル穴を開けてそこから針金や小道具等によりサムターンを回転させるサムターン廻し、などがある。
【０００５】
従来のサムターン１３０は、プレート状の突起１３１が開錠または施錠に応じて９０度回転されるため、針金や小道具等を用いることでサムターン１３０を比較的容易に回転させることができてしまうという欠点がある。施錠された状態のとき、サムターン１３０は一般に水平位置にあるが、ドアの隙間やドアに開けられた穴から小道具を挿入し、この小道具をプレート状の突起１３１に引っ掛けることで、サムターン１３０を簡単に回転させることができてしまう。
【０００６】
本発明は、上記従来の施錠装置の欠点を解決するためになされたものであり、外部からの侵入者によりサムターンが容易に回転できないような防犯機能に優れたサムターン用キャップを提供する。
さらに本発明は、既存のサムターンに着脱可能なサムターン用キャップを提供することを目的とする。
【０００７】
【課題を解決するための手段】
本発明に係る、サムターンに着脱可能に取り付けられるキャップは、その主要な外形を球形状とする。外形を球形状とすることにより、キャップに直接手を触れて回転させる以外に、他の道具を用いて間接的にキャップを回転させようとしても、簡単に回転させることができない。このため、侵入者によるサムターン廻し等の開錠を防止し、防犯効果を高めることができる。
【０００８】
本発明に係る、サムターンに着脱可能に取り付けられるキャップは、サムターンを挿入する開口部と、キャップの外周に形成された球形部とを有する。好ましくは、キャップは、開口部に挿入されたサムターンを固定する固定手段を有する。固定手段は、例えば開口部に連通する溝を有し、溝を介してサムターンを押圧する押圧部材を有する。固定手段は、開口部内に配される押圧プレートを含むものであっても良い。押圧プレートは、波形形状のプレートやゴム等の弾性部材を用い、その弾力性を利用しても良い。また、球形部は、円柱形状、円錐形状、多角形状を含むものであっても良い。サムターンの形状も、プレート状の突起、中央が肉厚の突起、円形状の突起、三角形状の突起など種々の形状を用いることができ、施錠若しくは開錠のときに、それらの突起の位置は、水平、垂直、あるいは傾斜されていても良い。施錠もしくは開錠に伴うサムターンの回転角は、好ましくは９０度であるが、１８０度やそれ以外の角度であってもよい。
【０００９】
好ましくはキャップは、平坦な面を含み、開口部は平坦な面に形成される。平坦な面は、サムターンの底部に対向され、前記サムターンは実質的に前記キャップにより包含されることが望ましい。
【００１０】
本発明に係る、開閉扉の内側に設けられた開閉つまみをカバーするキャップは開閉つまみを包含する球形状の外形を有する。開閉つまみは、サムターンである。開閉つまみは、鍵の施錠または開錠に応じてその角度を可変され、開閉つまみがキャップによりカバーされたとき、鍵の施錠または開錠の状態にかかわらずキャップの外形位置が本質的に変化されない。球形状の外形は、前記キャップの回転軸を中心に形成されることが望ましい。
【００１１】
本発明に係る、開閉扉の内側に設けられた開閉つまみをカバーするキャップは、開閉つまみに対向する平面と、該平面から球形状に延在する球形部とを有し、平面には開閉つまみを保持するための開口部が形成され、開閉つまみが鍵の施錠または開錠に応じてその角度が変化されたとき、球形部は実質的に同一位置にあるものである。好ましくは、キャップは、開口部内に挿入された開閉つまみを固定するための固定手段を含む。
【００１２】
【発明の実施の形態】
次に本発明の実施の形態について図面を参照して説明する。図１は、本発明の第１の実施の形態に係るサムターン用キャップの構成を示す図であり、同図（ａ）は正面図、同図（ｂ）は側面図、同図（ｃ）は上面図である。図２は図１（ａ）のＸ−Ｘ線断面図である。
【００１３】
キャップ１は、サムターンをカバーするためのキャップであり、木材、金属材、あるいはプラスチック材を用いて構成される。キャップ１は、サムターンと対向する平坦な面１０と、面１０から延在する球形部２０とを有する。面１０のほぼ中心に開口部１１が形成される。開口部１１は、幅Ｗ、高さＨの矩形状の有底の溝であり、球形部２０の中心を超える位置まで水平に延在する。開口部１１は、サムターンのプレートの突起を挿入するため、その幅Ｗと高さＨは、プレート状の突起に応じた大きさに形成される。
【００１４】
球形部２０の所定位置に、ネジ止め用の溝２１が形成される。溝２１は、球形部２０の表面に形成された平坦な凹部２２から開口部２１に至るまで直線状に延びる（図２参照）。溝２１の内壁にネジと係合するネジ山が形成される。あるいは、溝２１内に、ネジ山が形成されたスリーブを挿入するものであっても良い。開口部１１にサムターンが挿入されたとき、溝２１からネジが挿入され、ネジによってサムターンが固定される。
【００１５】
図３は、本実施の形態に係るキャップ１をサムターンに装着した状態を示す斜視図であり、図４はその装着状態を示す断面図である。なお、従来の説明で用いた図９と同一部分については同一参照番号を付し、その説明を省略する。キャップ１の面１０がサムターン１３０の底部と対向するように、サムターン１３０の突起１３１が開口部１１内に挿入される。そしてネジ止め用の溝２１内にネジ３０が装着され、ネジ３０を回転させることでネジ先端部がサムターン１３０の突起１３１を押圧し、これによりキャップ１がサムターン１３０に取り付けられる。この状態で、サムターン１３０の本質的な部分はすべてキャップ１内に収容され、キャップ１を回転することでサムターン１３０が回転され、ロックキー１４１の開錠または施錠を行うことができる。球形部２０の中心軸は、サムターン１３０の回転軸と一致し、球形部２０が回転された時、球形部２０の外形の位置は実質的に変化されない。つまり、従来のサムターンは、施錠または開錠に応じてプレート１３１の位置を水平または垂直にするものであったが、本実施の形態ような球形状のキャップ１を取り付けることで、その外形位置は本質的に変化されない。
【００１６】
サムターン用のキャップ１の外形を球形状とすることで、仮に、侵入者等がドアの隙間やドアに開けられた穴から針金や小道具を挿入してサムターン１３０を回転させようとしても、従来のプレート状の突起１３１のように引っかかる形状がないため、サムターン１３０を容易に回転させることができなくなる。他方、ユーザは、ドアの内部からキャップ１を直接把持しこれを回転させることでサムターン１３０を容易に回転させることができる。このように、サムターン１３０にキャップ１を取り付けることにより、簡単にサムターン廻し等の防犯機能を付加することができる。さらに、ユーザは、必要に応じてネジ３０を逆方向に回転させることで、キャップ１をサムターン１３０から取り外すことも可能である。
【００１７】
次に本発明の第２の実施の形態について説明する。図５は、サムターンを押圧するための押圧板の構成を示し、図６および図７は押圧板を用いたときのキャップの装着状態を示す断面図である。図５において、押圧板４０は平坦なプレート状のアルミニウム等の金属板である。その幅と高さは、開口部１１の幅Ｗ、高さＨを考慮し、それよりも若干小さめに形成される。図６に示すように、キャップ１の開口部１１内にサムターン１３０が挿入され、かつ、サムターン１３０上に押圧板４０が挿入される。ネジ３０により押圧板４０を押圧することにより、押圧板４０とサムターン１３０とが面接触され、キャップ１をサムターン１３０により強固に取り付けることができる。さらに、押圧板４０を用いることで、キャップ１は、種々のサイズのサムターン１３０に適合することが可能となる。この場合、開口部１１の幅Ｗ、高さＨを、複数のサムターンの形状に適合できるような値にしておけば良い。
【００１８】
図５（ｂ）は、波形形状の押圧板５０の例を示し、押圧板５０を用いた取り付け状態を図７に示す。押圧板５０を波形形状とすることで押圧板５０に弾力性が生じるため、サムターン１３０の突起１３１が傾斜していたり、平坦でない場合でも、キャップ１を確実にサムターン１３０に固定することができる。
【００１９】
さらに図７に示すように、ネジ３０の先端にこれと係合するナット３１を用いるようにしてよい。この場合、溝２１の内壁にネジ山を形成したり、ネジ山を有するスリーブを挿入することは不要となる。
【００２０】
図８は、キャップ１の球形部の他の形状の例を示す図である。例えば、図８（ａ）に示すように円柱形状を用いることも可能である。一方の面６１の中心位置に開口部１１を形成し、さらに、サムターンが施錠位置にあるか開錠位置にあるかを一目でわかるように、“開”または“閉”のマーク６２を設けても良い。キャップ６０はその外周を球面若しくは曲面とすることで、図１に示すキャップと同様にサムターン廻しを防止する機能を有する。同図（ｂ）は、頂部が平坦な円錐形状である。その表面または裏面に開口部１１を形成する。同図（ｃ）は、その円周面を多角形にしたものである。これ以外にも楕円形状や楕円錐等の種々の球面や曲面形状を用いることが可能である。
【００２１】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００２２】
上記実施の態様では、サムターン１３０の形状をプレート状の突起を例に説明したが、勿論これ以外の形状であっても良い。要は、ロックキー（デッドボルト）１４１を内側から施錠若しくは開錠することができるものであれば良い。図９にサムターンの構成例を示す。図９（ａ）に示すサムターン１３０ａは、その中央部の肉厚が周辺よりも厚く形成されている。図９（ｂ）に示すサムターン１３０ｂは、その突起状のつまみを垂直に形成している。図９（ｃ）に示すサムターン１３０ｃは、その突起状のつまみを斜め方向に傾斜している。図９（ｄ）に示すサムターン１３０ｄは、三角形状の突起を有している。これらの形状は一例であってこれに限定される趣旨ではない。サムターン用キャップ１の開口部１１は、これらのサムターンの種々の形状に合わせた形状に作成される。
【００２３】
さらに、上記実施の態様では、サムターン１３０の突起１３１が水平にあるときに施錠であり、これが９０度回転されたとき（垂直方向のとき）に開錠であるとしたが、これに限定されるものではない。これとは反対に、例えば図９（ｂ）に示すようにサムターン１３０ｂが垂直にあるときに施錠であり、突起１３１ｂが水平にあるときに開錠とすることもできる。また、図９（ｃ）に示すように、サムターン１３０ｃが斜め方向にあるときに施錠であって、これを回転させて開錠としてもよい。さらに、施錠もしくは開錠のときのサムターンの回転角度も必ずしも９０度に限定されるものではない。例えば、１３５度、１８０度であってもよい。
【００２４】
さらに、上記実施の態様で用いた押圧板は、金属製以外にもゴム等の弾性部材を用いることも可能である。また、サムターンの固定にネジを用いたが、ネジ以外に別な固定手段を用いてよい。例えば、接着材によりキャップをサムターンに固定するものであっても良い。
【００２５】
【発明の効果】
本発明によれば、サムターン用キャップの外形を球形状としたため、小道具等によりキャップを回転させることが困難となり、これによりサムターン廻し等による解錠の犯罪を効果的に防止することができる。さらに、キャップを既存のサムターンに着脱可能とすることで、ユーザは大きな負担をすることなく簡単にサムターンに防犯機能を付与することができる。
【図面の簡単な説明】
【図１】図１は本発明の第１の実施の形態に係るサムターン用キャップの構成を示し、同図（ａ）は正面図、同図（ｂ）は側面図、同図（ｃ）は上面図である。
【図２】図１（ａ）のＸ−Ｘ線断面図である。
【図３】本実施の形態に係るサムターン用キャップの装着状態を示す斜視図である。
【図４】図３の装着状態における断面図である。
【図５】押圧板の構成例を示す斜視図である。
【図６】図５（ａ）の押圧板を用いたときのキャップの装着状態を示す断面図である。
【図７】図５（ｂ）の押圧板を用いたときのキャップの装着状態を示す断面図である。
【図８】キャップの他の外形形状の一例を示す斜視図である。
【図９】図９（ａ）ないし（ｄ）はサムターンの構成例を示す図である。
【図１０】従来のサムターンの構成例を示す斜視図である。
【符号の説明】
１：サムターン用キャップ
１１：開口部
２０：球形部
２１：溝
３０：ネジ
４０：押圧板
５０：波形押圧板
１１０：施錠装置
１３０、１３０ａ、１３０ｂ、１３０ｃ、１３０ｄ：サムターン
１３１：プレート状突起
１４０：施錠本体
１４１：ロックキー
【図１】
2004156361.tif 000003
【図２】
2004156361.tif 000004
【図３】
2004156361.tif 000005
【図４】
2004156361.tif 000006
【図５】
2004156361.tif 000007
【図６】
2004156361.tif 000008
【図７】
2004156361.tif 000009
【図８】
2004156361.tif 000010
【図９】
2004156361.tif 000011
【図１０】
2004156361.tif 000012